【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
ディスペンシング・ユニットを操作する方法であって、
容器を含むディスペンシング・ユニットに電源を印加するステップと、
前記電源を印加したことに応答してスタートアップ手順を実行するステップであって、前記スタートアップ手順が、前記容器から流体を排出するアクティブ化シーケンスを実行することを含む、スタートアップ手順を実行するステップと、
前記スタートアップ手順の後に、ロックアウト期間を提供することなく、アクティブモード手順を実行するステップであって、前記アクティブモード手順が、前記ディスペンシング・ユニットに関連付けられたセンサをアクティブ化すること、前記センサがモーションを検知したときに前記容器から前記流体を排出するアクティブ化シーケンスを実行すること、および移行手順を実行することを含む、アクティブモード手順を実行するステップと
を含む、方法。
【請求項２】
前記移行手順を実行する前記ステップが、前記センサが非アクティブ化されているロックアウト期間を提供すること、および前記ロックアウト期間の経過後に後続のアクティブモード手順を実行することを含み、前記ロックアウト期間の長さがユーザによって選択可能である、請求項１に記載の方法。
【請求項３】
前記移行手順を実行する前記ステップが、前記センサが非アクティブ化されているタイムアウト期間を提供すること、前記タイムアウト期間中に１つまたは複数の自動アクティブ化シーケンスを実行すること、前記タイムアウト期間の経過後に後続のアクティブモード手順を実行することを含む、請求項１に記載の方法。
【請求項４】
ユーザが、前記タイムアウト期間の長さ、前記タイムアウト期間中の自動アクティブ化シーケンスの回数、および前記タイムアウト期間中の前記１つまたは複数の自動アクティブ化シーケンスのタイミングのうちの１つまたは複数を選択することができる、請求項３に記載の方法。
【請求項５】
前記移行手順を実行する前記ステップが、前記センサが後続のモーションを検知したことに応答して後続のアクティブ化シーケンスを実行すること、および１つまたは複数の後続のアクティブ化シーケンスを実行した後にのみ、前記センサが非アクティブ化されているタイムアウト期間を提供することを含む、請求項１に記載の方法。
【請求項６】
ユーザが、前記タイムアウト期間を提供する前に実行されるべき後続のアクティブ化シーケンスの回数を選択することができる、請求項５に記載の方法。
【請求項７】
前記移行手順を実行する前記ステップが、モーションが感知されるたびに１つまたは複数のアクティブ化シーケンスを実行することを含む、請求項１に記載の方法。
【請求項８】
ユーザが、モーションが感知されるたびに実行されるアクティブ化シーケンスの回数を選択することができる、請求項７に記載の方法。
【請求項９】
前記スタートアップ手順を実行する前記ステップが、前記ディスペンシング・ユニットが適切に機能しているという表示を提供するステップ、約５秒持続するスリープ期間を提供するステップ、前記アクティブ化シーケンスを実行するところであるという表示を提供するステップ、および前記アクティブ化シーケンスを実行するステップをさらに含む、請求項１に記載の方法。
【請求項１０】
容器および電源を収納するように適合されたハウジングと、
前記ハウジングと関連付けられたセンサ、入力デバイス、およびコントローラと
を備えるディスペンシング・ユニットであって、
前記コントローラが、前記電源を前記コントローラに印加したことに応答してスタートアップ手順を実行するように構成され、前記スタートアップ手順が、前記容器から流体を排出するアクティブ化シーケンスを実行することを含み、
前記コントローラが、前記スタートアップ手順の後に、ロックアウト期間を提供することなく、アクティブモード手順を実行するようにさらに構成され、前記アクティブモード手順が、前記センサをアクティブ化すること、前記センサがモーションを検知したときに、前記容器から前記流体を排出するアクティブ化シーケンスを実行すること、および移行手順を実行することを含む、
ディスペンシング・ユニット。
【請求項１１】
前記移行手順が、前記センサが非アクティブ化されているロックアウト期間を提供すること、および前記ロックアウト期間の経過後に後続のアクティブモード手順を実行することを含み、前記ロックアウト期間の長さが、ユーザによって選択可能である、請求項１０に記載のディスペンシング・ユニット。
【請求項１２】
前記移行手順が、前記センサが非アクティブ化されるタイムアウト期間を提供すること、前記タイムアウト期間中に１つまたは複数の自動アクティブ化シーケンスを実行すること、および前記タイムアウト期間の経過後に後続のアクティブモード手順を実行することを含む、請求項１０に記載のディスペンシング・ユニット。
【請求項１３】
ユーザが、前記タイムアウト期間の長さ、前記タイムアウト期間中の自動アクティブ化シーケンスの回数、および前記タイムアウト期間中の前記１つまたは複数の自動アクティブ化シーケンスのタイミングのうちの１つまたは複数を選択するために、前記入力デバイスを利用することができる、請求項１２に記載のディスペンシング・ユニット。
【請求項１４】
前記移行手順が、前記センサが後続のモーションを検知したことに応答して後続のアクティブ化シーケンスを実行すること、および１つまたは複数の後続のアクティブ化シーケンスが実行された後にのみ、前記センサが非アクティブ化されているタイムアウト期間を提供することを含む、請求項１０に記載のディスペンシング・ユニット。
【請求項１５】
ユーザが、前記タイムアウト期間を提供する前に実行されるべき後続のアクティブ化シーケンスの回数を選択するために、前記入力デバイスを利用することができる、請求項１４に記載のディスペンシング・ユニット。
【請求項１６】
前記移行手順が、モーションが感知されるたびに１つまたは複数のアクティブ化シーケンスを実行することを含む、請求項１０に記載のディスペンシング・ユニット。
【請求項１７】
ユーザが、モーションが感知されるたびに実行されるアクティブ化シーケンスを選択するために、前記入力デバイスを利用することができる、請求項１６に記載のディスペンシング・ユニット。
【請求項１８】
前記スタートアップ手順が、前記ディスペンシング・ユニットが適切に機能しているという表示を提供すること、約５秒のスリープ期間を提供すること、アクティブ化シーケンスを実行するところであるという表示を提供すること、およびアクティブ化シーケンスを実行することをさらに含む、請求項１０に記載のディスペンシング・ユニット。
【請求項１９】
ディスペンシング・ユニットを操作する方法であって、
容器を含むディスペンシング・ユニットに電源を印加するステップと、
前記電源を印加したことに応答してスタートアップ手順を実行するステップであって、前記スタートアップ手順が、約５秒のスリープ期間を提供すること、および前記スリープ期間が経過した直後に、前記容器から流体を排出するアクティブ化シーケンスを実行することを含む、スタートアップ手順を実行するステップと、
前記スタートアップ手順の後にアクティブモード手順を実行するステップであって、前記アクティブモード手順が、前記ディスペンシング・ユニットに関連付けられたセンサをアクティブ化すること、前記センサがモーションを検知したときに、前記容器から前記流体を排出するアクティブ化シーケンスを実行すること、および移行手順を実行することを含む、アクティブモード手順を実行するステップと
を含み、
前記移行手順が、前記センサが非アクティブ化されているタイムアウト期間を提供すること、前記タイムアウト期間中に１つまたは複数の自動アクティブ化シーケンスを実行すること、および前記タイムアウト期間の経過後に後続のアクティブモード手順を実行することを含む、
方法。
【請求項２０】
前記アクティブモード手順が、前記スタートアップ手順の後に、前記タイムアウト期間なしに実行され、前記ユーザが、前記タイムアウト期間の長さ、前記タイムアウト期間中の自動アクティブ化シーケンスの回数、前記タイムアウト期間中の前記１つまたは複数の自動アクティブ化シーケンスのタイミングのうちの１つまたは複数を選択することができる、請求項１９に記載の方法。